(57)【要約】【課題】無線タグの情報を読み取り、一定数をまとめて保管した後の無線タグへの情報書き込み時において、書き込みエラーの発生や、中途半端なデータの書き込みを防止することを図った無線タグ読み書き装置を提供する。【解決手段】無線タグ１３が付された封筒２０を収納する収納ケーシング２５を備え、この収納ケーシング２５に、無線タグ１３が付された封筒２０が収納された際に収納ケーシング２５内で無線タグ１３の情報を読み取るための読取用アンテナ３０と、収納ケーシング２５内で無線タグ１３に情報を書き込むための書込用アンテナ３１とを設け、さらに、読取用アンテナ３０から送信される電波の一部を遮ることで、読取用アンテナ３０が無線タグ１３の情報を読み取ることができる読み取り可能範囲ａと書込用アンテナ３１が無線タグ１３に情報を書き込むことができる書き込み可能範囲ｂとを一致させる電波吸収体２９を設けた。【選択図】  図３
2005266961.tif 000002
【特許請求の範囲】
【請求項１】
無線タグが付された物を収納する収納ケーシングを備え、この収納ケーシングに、無線タグが付された物が収納された際に前記収納ケーシング内で無線タグの情報を読み取るための読取用アンテナと、前記収納ケーシング内で無線タグに情報を書き込むための書込用アンテナとを設けたことを特徴とする無線タグ読み書き装置。
【請求項２】
前記収納ケーシングは、前記読取用アンテナから送信される電波の一部を遮ることで、前記読取用アンテナが無線タグの情報を読み取ることができる読み取り可能範囲と前記書込用アンテナが無線タグに情報を書き込むことができる書き込み可能範囲とを一致させる電波遮蔽手段をさらに設けたことを特徴とする請求項１記載の無線タグ読み書き装置。
【請求項３】
前記読取用アンテナは、無線タグが付された物が出入りする出入口に対し、無線タグの情報を読み取ることができる読み取り可能範囲が収納ケーシング内に形成される程度の奥側であり、かつ、無線タグが付された物を収納する面に対する対面に配置される一方、前記書込用アンテナは、前記出入口に対する対面に配置されることを特徴とする請求項１または２記載の無線タグ読み書き装置。
【請求項４】
前記読取用アンテナは、無線タグが付された物が出入りする出入口に対し、無線タグの情報を読み取ることができる読み取り可能範囲が収納ケーシング内に形成される程度の奥側であり、かつ、無線タグが付された物を収納する面に対する対面に配置される一方、前記書込用アンテナは、前記出入口に対する側面のいずれかであり、無線タグに情報を書き込むことができる書き込み可能範囲が前記読み取り範囲内に包含されるように配置されることを特徴とする請求項１または２記載の無線タグ読み書き装置。
【請求項５】
前記書込用アンテナは、無線タグが付された物が複数重なって収納されている状態においても、収納ケーシング内の全ての無線タグに一斉に書き込み可能に設けられることを特徴とする請求項１または２記載の無線タグ読み書き装置。
【請求項６】
前記書込用アンテナは、無線タグが付された物が複数重なって収納されている状態において、無線タグが付された面に対して、平行方向に電波を送信可能な位置に設けられることを特徴とする請求項１または２記載の無線タグ読み書き装置。
【請求項７】
前記収納ケーシングを複数個備え、前記収納ケーシングと隣接する収納ケーシングとの間に電波遮蔽手段を設けたことを特徴とする請求項１または２記載の無線タグ読み書き装置。
【請求項８】
前記収納ケーシングは、読取用アンテナから送信される電波が前記収納ケーシング外部に漏れることがないように、読取用アンテナが設置される面の対面に電波遮蔽手段を設けたことを特徴とする請求項１または２記載の無線タグ読み書き装置。
【請求項９】
前記電波遮蔽手段は電波吸収体であることを特徴とする請求項２に記載の無線タグ読み書き装置。
【請求項１０】
無線タグが付された物を収納する収納ケーシングを備え、この収納ケーシングに、無線タグが付された物が出入口から収納された際に前記収納ケーシング内で無線タグの情報を読み取るための読取用アンテナと、前記収納ケーシング内で無線タグに情報を書き込むための書込用アンテナとを設け、
前記読取用アンテナが無線タグの情報を読み取ることができる読み取り可能範囲が前記書込用アンテナが無線タグに情報を書き込むことができる書き込み可能範囲を包含しつつ前記出入口側を一致するように前記読取用アンテナおよび書込用アンテナを配置したことを特徴とする無線タグ読み書き装置。
【発明の詳細な説明】
【技術分野】
【０００１】
本発明は、無線タグからの情報の読み取りおよび無線タグへの情報の書き込みを行う無線タグ読み書き装置に関する。
【背景技術】
【０００２】
図６は従来の無線タグシステム１を示す説明図であり、無線タグシステム１を用いて行う無線タグ２からの情報の読み取りおよび無線タグ２への情報の書き込みについて説明する。
【０００３】
無線タグシステム１とは、無線タグ２と質問器３との間を無線で信号の授受をすることによって情報の読み取りおよび書き込みを行い、読み書きされた情報を管理するシステムであり、製造分野、物流分野、流通分野等で利用されている。
【０００４】
無線タグ２は、信号の送受信を担う無線タグアンテナ４と、無線タグアンテナ４で送受信した信号を送受信する送受信部５と、電子情報を格納するメモリ６とを備える。また、質問器３は、外部または内部に設けられ信号の送受信を担うアンテナ７と接続されており、このアンテナ７を介して無線タグ２との信号の授受を無線で行うことができる。質問器３は、無線タグ２と無線で信号の授受をすることによって、質問器３から無線タグ２のメモリ６に記憶される情報を読み取ったり、質問器３から情報を無線タグ２のメモリ６へ書き込んだりすることができる。
【０００５】
また、無線タグシステム１は、図６に示すように、例えば、通信ネットワーク８を介して質問器３と管理用電子計算機５とが電気的に接続されており、管理用電子計算機５が質問器３の情報を集約し管理する。
【０００６】
このように構成される従来の無線タグシステム１において、無線タグ２に記憶される情報の読み取りは、まず、質問器３から無線タグ２に読み取り要求を出力する。すると、質問器３は、読み取り要求を電気信号として信号出力する。質問器３から出力された電気信号は、質問器３と接続されるアンテナ７から送信される。アンテナ７から送信された電気信号を無線タグ２側の無線タグアンテナ４で受信すると、無線タグアンテナ４で受信した電気信号を送受信部５が受け取り、送受信部５がメモリ６に記憶される情報を読み出す。そして、送受信部５がメモリ６から読み出した情報を電気信号として質問器３へ信号出力する。
【０００７】
無線タグ２の送受信部５が出力した電気信号は、無線タグアンテナ４に伝送され、無線タグアンテナ４から送信される。無線タグアンテナ４から送信された電気信号を質問器３側のアンテナ７が受信すると、受信した電気信号はアンテナ７から質問器３に伝送され、質問器３は、受信した電気信号を信号処理して無線タグ２のメモリ６に記憶される情報を表示または印字等して出力する。
【０００８】
一方、無線タグ２への情報の書き込みは、まず、ユーザが質問器３に書き込みたい情報を入力し、入力した情報について書き込み要求をする。すると、書き込み要求が電気信号として質問器３から送信される。そして、質問器３からアンテナ７を介して送信された電気信号を無線タグ２側の無線タグアンテナ４が受信すると、無線タグアンテナ４が受信した電気信号を送受信部５が受け取り、送受信部５がメモリ６に要求のあった情報の書き込みを行う。
【０００９】
上述した無線タグシステムに関する公知例は、特開２００４−２１７７６号公報等がある。
【特許文献１】特開２００４−２１７７６号公報
【発明の開示】
【発明が解決しようとする課題】
【００１０】
従来の無線タグシステム１を応用し、物（例えば、封筒）の仕分けに使用する場合、仕分けする複数の対象物８の各々に無線タグ２を付して無線タグ２の情報を質問器３から読み取ることで、図６に示される仕分けエリア９にある無線タグ２を認識する。そして、ある程度の仕分けが完了すると、仕分けエリア９に仕分けされた仕分対象物８に付された全ての無線タグ２に情報の書き込みを行うことになる。
【００１１】
しかしながら、無線タグシステム１に用いられる無線タグ２は、情報の読み取りおよび書き込みができる範囲に制限があり、質問器３側のアンテナ７と無線タグ２側の無線タグアンテナ４との距離がある規定の距離以上離れると読み書きができなくなる。また、無線タグ２に情報を正常に書き込むことができる距離（以下、書き込み可能距離とする）と、無線タグ２から情報を正常に読み出すことができる距離（以下、読み出し可能距離とする）とは異なっており、読み出し可能距離に比べて書き込み可能距離の方が短いのが一般的ある。
【００１２】
このため、仕分けが完了し、仕分けエリア９に集まった全ての仕分け対象物８に付された無線タグ（全てが読み出し可能距離内にある）２に情報の書き込みを行う必要性が生じた場合に、書き込みエラーを発生したり、中途半端なデータの書き込みを行ってしまうことが起こり得る。これは、無線タグ２の書き込み可能距離の方が読み取り可能距離よりも短いことから、読み出し可能距離内にある全ての無線タグ２が、書き込み可能距離内にあるとは限らないためである。
【００１３】
また、仕分け後の仕分け対象物８に付された無線タグ２への書き込みエラーの発生を防止したり、中途半端なデータの書き込みを防止するべく、仕分けエリア９に仕分けする際に物理的センサーを用いて、無線タグ２が書き込み可能距離内に入った場合に仕分け対象物８を認識させる方法も考え得るが、物体検知センサー等の物理的センサーでは、仕分け対象物８の存在は確認できても、その仕分け対象物８が何かまでを特定するのは困難である。さらに、物理的センサーを使用する場合、仕分けの方法の如何によっては、物理的センサーが認識できない場合も生じ得る不都合が生じる。
【００１４】
本発明は、上述した課題を解決するためになされたものであって、無線タグの情報を読み取り、一定数をまとめて保管した後の無線タグへの情報書き込み時において、書き込みエラーの発生や、中途半端なデータの書き込みを防止することを図った無線タグ読み書き装置を提供することを目的とする。
【００１５】
また、本発明の他の目的は、読み取った無線タグをそのまま一定数量、保管可能な無線タグ読み書き装置を提供することにある。
【００１６】
さらに、本発明の他の目的は、読み取った無線タグをそのまま一定数量、保管した後、保管した全ての無線タグに一斉に情報の書き込みが可能な無線タグ読み書き装置を提供することにある。
【課題を解決するための手段】
【００１７】
本発明に係る無線タグ読み書き装置は、上述する課題を解決するため、請求項１に記載したように、無線タグが付された物を収納する収納ケーシングを備え、この収納ケーシングに、無線タグが付された物が収納された際に前記収納ケーシング内で無線タグの情報を読み取るための読取用アンテナと、前記収納ケーシング内で無線タグに情報を書き込むための書込用アンテナとを設けたことを特徴とする。
【００１８】
上述する課題を解決するため、本発明に係る無線タグ読み書き装置は、請求項２に記載したように、前記収納ケーシングは、前記読取用アンテナから送信される電波の一部を遮ることで、前記読取用アンテナが無線タグの情報を読み取ることができる読み取り可能範囲と前記書込用アンテナが無線タグに情報を書き込むことができる書き込み可能範囲とを一致させる電波遮蔽手段をさらに設けたことを特徴とする。
【００１９】
また、上述する課題を解決するため、本発明に係る無線タグ読み書き装置は、請求項３に記載したように、前記読取用アンテナは、無線タグが付された物が出入りする出入口に対し、無線タグの情報を読み取ることができる読み取り可能範囲が収納ケーシング内に形成される程度の奥側であり、かつ、無線タグが付された物を収納する面に対する対面に配置される一方、前記書込用アンテナは、前記出入口に対する対面に配置されることを特徴とする。
【００２０】
さらに、上述する課題を解決するため、本発明に係る無線タグ読み書き装置は請求項５に記載したように、前記書込用アンテナは、無線タグが付された物が複数重なって収納されている状態においても、収納ケーシング内の全ての無線タグに一斉に書き込み可能に設けられていることを特徴とし、さらにまた、請求項６に記載したように、無線タグが付された物が複数重なって収納されている状態において、無線タグが付された面に対して、平行方向に電波を送信可能な位置に設けられることを特徴とする。
【００２１】
一方、上述する課題を解決するため、本発明に係る無線タグ読み書き装置は、請求項７に記載したように、前記収納ケーシングを複数個備え、前記収納ケーシングと隣接する収納ケーシングとの間に電波遮蔽手段を設けたことを特徴とし、また、請求項８に記載したように、前記収納ケーシングは、読取用アンテナから送信される電波が前記収納ケーシング外部に漏れることがないように、読取用アンテナが設置される面の対面に電波遮蔽手段を設けたことを特徴とする。
【００２２】
他方、上述する課題を解決するため、本発明に係る無線タグ読み書き装置は、請求項９に記載したように、前記電波遮蔽手段は電波吸収体であることを特徴とする。
【００２３】
本発明に係る無線タグ読み書き装置は、上述する課題を解決するため、請求項１０に記載したように、無線タグが付された物を収納する収納ケーシングを備え、この収納ケーシングに、無線タグが付された物が出入口から収納された際に前記収納ケーシング内で無線タグの情報を読み取るための読取用アンテナと、前記収納ケーシング内で無線タグに情報を書き込むための書込用アンテナとを設け、前記読取用アンテナが無線タグの情報を読み取ることができる読み取り可能範囲が前記書込用アンテナが無線タグに情報を書き込むことができる書き込み可能範囲を包含しつつ前記出入口側を一致するように前記読取用アンテナおよび書込用アンテナを配置したことを特徴とする。
【発明の効果】
【００２４】
本発明に係る無線タグ読み書き装置によれば、無線タグの情報を読み取ることができる範囲と、無線タグに情報を書き込むことができる範囲とを一致するように無線タグ読み書き装置を構成しているので、無線タグの情報を読み取り、一定数をまとめて保管した後の無線タグへの情報書き込み時において、書き込みエラーの発生や、中途半端なデータの書き込みを防止することができる。
【００２５】
また、無線タグ読み書き装置内の無線タグ読み書きエリアに一定量を重ね置きしても、その都度、新しく置かれた無線タグを認識するので、情報を読み取った無線タグをそのまま無線タグ読み書き装置内の無線タグ読み書きエリアに一定数量、保管することができる。
【００２６】
さらに、書き込み用アンテナから送信する信号が保管される全ての無線タグにおいて受信できるように書き込み用アンテナを配置しているので、読み取った無線タグをそのまま一定数量、保管した後、保管した全ての無線タグに一斉に情報の書き込みを行うことができる。
【発明を実施するための最良の形態】
【００２７】
以下、本発明に係る無線タグ読み書き装置の実施の形態について添付の図面を参照して説明する。
【００２８】
図１に本発明に係る無線タグ読み書き装置１０を適用した無線タグシステム１１の一実施例の構成概略を表す概略図を示す。
【００２９】
無線タグシステム１１は、無線タグ１３からの情報の読み取りおよび無線タグ１３への情報の書き込みを行う無線タグ読み書き装置１０と、無線タグ読み書き装置１０が無線タグ１３から読み取った情報を取得したり、書き込みたい情報を無線タグ書き込み装置１０に提供する質問器１４と、質問器１４が取得した情報を集約し管理する情報管理手段としての電子計算機１５とを具備している。
【００３０】
無線タグ読み書き装置１０は、例えば、ケーブル１７等の電気的接続手段を介して質問器１４と電気的に接続されており、ケーブル１７を介して、質問器１４は、無線タグ１３から読み取った情報を無線タグ読み書き装置１０から取得することができる。また、無線タグ１３に情報を書き込みたい場合には、書き込みたい情報を質問器１４からケーブル１７を介して無線タグ書き込み装置１０に提供することで、無線タグ書き込み装置１０において無線タグ１３に情報を書き込むことができる。
【００３１】
質問器１４と電子計算機１５は、電気的に接続されており、例えば、通信ネットワーク１８等の情報通信手段を経由して、質問器１４が読み出した情報を取得し、集約して管理することができる。
【００３２】
尚、図１においては、無線タグ読み書き装置１０、質問器１４および電子計算機１５を一つずつしか示していないが、必ずしも図１に示す数に限定されるものではなく、使用状況に応じて、複数となっていても構わない。また、通信ネットワーク１８は、専用回線であるか否かを問わない。さらに、通信ネットワーク１８は必ずしも構築されている必要はなく、個々の質問器１４からの情報を電子計算機１５が取得できれば、情報通信手段の如何を問わない。
【００３３】
図１に示すような無線タグシステム１１は、例えば、封筒２０等の物の仕分けを行うシステムとして適用することができる。例えば、封筒２０の仕分けを行うシステムとして無線タグシステム１１を適用する場合、仕分け対象となる封筒２０に無線タグ１３を付しておき、予め定められた幾つかの仕分け区分毎に無線タグ読み書き装置１０を用意する。
【００３４】
そして、仕分け区分に従って仕分け作業を行い、仕分け区分に対応する無線タグ読み書き装置１０に封筒２０を仕分けていく。無線タグ読取装置１０に仕分けされた封筒２０は、無線タグ読み書き装置１０が封筒２０に付された無線タグ１３の情報を読み取り、読み込んだ情報は、無線タグ読み書き装置１０から質問器１４に送信される。
【００３５】
仕分けされた封筒２０は、無線タグ読み書き装置１０において一時保管（仮置き）される。仕分け作業を継続していき、それぞれの無線タグ読み書き装置１０には、複数の封筒が仮置きされる。そして、ある数量の仕分けを完了したタイミングで仕分けした封筒２０を無線タグ読み書き装置１０からより多くの封筒２０を収納可能な収納手段２１に移す。
【００３６】
収納手段２１に移す時点、すなわち、無線タグ読み書き装置１０から仮置きされた封筒２０を移す直前には、質問器１４から無線タグ読み書き装置１０に無線タグ１３に仕分け区分に関する情報を書き込む。そして、書き込みが完了すると、封筒２０は、収納手段２１に移される。
【００３７】
次に、無線タグシステム１１を物の仕分けを行うシステムとして適用する場合における無線タグ読み書き装置１０の各実施形態についてについて説明する。尚、以降の説明については、仕分けを行う対象物を封筒２０の場合を例にして説明する。
【００３８】
［第１の実施形態］
図２は、本発明に係る無線タグ読み書き装置の第１の実施形態を示す図であり、無線タグ読み書き装置１０Ａの構成を概略的に表した構成図である。尚、図２に示されるｘ軸方向、ｙ軸方向およびｚ軸方向は、本文中において、縦方向、横方向、高さ方向として説明する。
【００３９】
図２に示す無線タグ読み書き装置１０Ａは、図１に示すように構成される無線タグシステム１１における無線タグ読み書き装置１０をより詳細に表した図である。図２によれば、無線タグ読み書き装置１０Ａは、無線タグ１３が付された仕分け対象物、すなわち、無線タグ１３付き封筒２０を一時的に収納する仮置き手段としての収納ケーシング２５を少なくとも１個以上備えており、横方向（図２に示すｙ軸方向）に連続的または間隔を隔てて配置される。
【００４０】
収納ケーシング２５は、例えば、内部が空洞に形成され、開口面を有する箱型形状に形成される。収納ケーシング２５の開口面は、封筒２０を収納ケーシング２５内に仮置きする際に出入れする出入口２６として設けられたものであり、図２によれば、正面（ｘ軸原点方向のｙ−ｚ平面）が開口している。封筒２０を収納ケーシング２５に仮置きする場合には、出入口２６からを収納ケーシング２５に入れて底面（ｚ軸の原点方向側にあるｘ−ｙ平面）の上に仮置きし収納することができる。
【００４１】
また、無線タグ読み書き装置１０Ａは、図２に示すように、電気的接続手段としてのケーブル１７の一方が接続されている。ケーブル１７の他方は、図２において省略され図示されていないが、図１に示すように質問器１４と接続される。そして、無線タグ読み書き装置１０Ａと質問器１４との信号の送受信を可能としている。
【００４２】
図３は、図２に示される無線タグ読み書き装置１０Ａにおける収納ケーシング２５のＩ−Ｉ線に沿う断面図である。図３（Ａ）は、収納ケーシング２５に電波吸収体２９を設けた場合を表しており、図３（Ｂ）は、収納ケーシング２５に電波吸収体２９を設けない場合を表している。
【００４３】
図３（Ａ）によれば、収納ケーシング２５は、電波を遮る電波遮蔽手段としての電波吸収体２９と、収納ケーシング２５内に仮置きされた無線タグ１３に格納される情報を読み取る際に用いる読取用アンテナ３０と、収納ケーシング２５内に仮置きされた無線タグ１３に情報を書き込む際に用いる書込用アンテナ３１とを備えており、読取用アンテナ３０および書込用アンテナ３１の各々は、ケーブル１７等の電気的接続手段を介して質問器１４と接続される。
【００４４】
尚、無線タグ読み書き装置１０Ａの電波遮蔽手段には、電波吸収体２９以外にも電波を遮蔽できるのであれば何でも良いのであるが、電波吸収体２９を用いたのは、他の電波遮蔽手段を用いて、収納ケーシング２５内で電波の乱反射が生じた際には、予期し得ぬ悪影響を及ぼさないとも限らないからである。また、電波遮蔽手段として電波吸収体２９を使用するのであれば、電波の乱反射による影響は一切考慮しなくて済むからである。
【００４５】
無線タグ読み書き装置１０Ａにおける読取用アンテナ３０は、無線タグ１３を付した封筒２０が収納ケーシング２５に仮置きされたことを質問器１４から認識するために設けられたものであり、書込用アンテナ３１は、収納ケーシング２５内に仮置きされた封筒２０に付された無線タグ１３に情報を書き込むために設けられたものである。
【００４６】
収納ケーシング２５において、電波吸収体２９は、読取用アンテナ３０から送信される信号（電波）が出入口２６方向に進行するのを遮るように配置される。電波吸収体２９を読取用アンテナ３０から送信される電波を遮るように配置したのは、収納ケーシング２５の内部に形成される無線タグ１３の情報を正常に読み取りできる範囲（以下、読み取り可能範囲とする）と無線タグ１３へ情報を正常に書き込みできる範囲（以下、書き込み可能範囲とする）とを一致（実用上問題の無い程度の誤差であれば一致とみなす。以下、同様とする。）させるためである。
【００４７】
ここで、図３（Ａ）に示すように収納ケーシング２５に電波吸収体２９を設けた場合と、図３（Ｂ）に示すように収納ケーシング２５に電波吸収体２９を設けない場合とを比較する。
【００４８】
まず、図３（Ｂ）に示すように収納ケーシング２５に電波吸収体２９を設けない場合、収納ケーシング２５の内部に形成される読み取り可能範囲ａと書き込み可能範囲ｂとは一致しておらず、読み取り可能範囲ａの方が出入口２６の方向に張り出している。このため、封筒２０を収納ケーシング２５に収納する場合、無線タグ１３が読み取り可能範囲ａにあるが、書き込み可能範囲ｂにはない事態が起こり得る。無線タグ１３が読み取り可能範囲ａにあっても書き込み可能範囲ｂにないと、無線タグ１３への情報の書き込みエラーや中途半端なデータの書き込みが発生し得る。
【００４９】
そこで、図３（Ａ）に示すように収納ケーシング２５に電波吸収体２９を設ける。すると、本来、読取用アンテナ３０から出入口２６方向に進行する電波が電波吸収体２９によって吸収され、出入口２６方向に進行する電波が遮断されることになる。その結果、収納ケーシング２５の内部に形成される読み取り可能範囲ａは狭まるので、収納ケーシング２５の内部に形成される読み取り可能範囲ａを書き込み可能範囲ｂと一致させることができる。
【００５０】
収納ケーシング２５の内部に形成される読み取り可能範囲ａを書き込み可能範囲ｂと一致していれば、収納ケーシング２５の内部に収納され情報を読み取ることができた無線タグ１３は、常に、書き込み可能範囲にあることになる。つまり、収納ケーシング２５の内部に形成される読み取り可能範囲ａを書き込み可能範囲ｂと一致させることで、読取用アンテナ３０の読み取り可能距離が書込用アンテナ３１の書き込み可能距離よりも長いことに起因して生じ得る無線タグ１３への情報の書き込みエラーの発生や中途半端なデータの書き込みの発生を防止することができる。
【００５１】
また、読取用アンテナ３０は、収納ケーシング２５の内部に仮置きされた無線タグ１３の情報を読み取りを可能にするべく上面（ｚ軸大方向側にあるｘ−ｙ平面）の奥側（ｘ軸大方向側）に設けられる。
【００５２】
読取用アンテナ３０を収納ケーシング２５の上面に設けるのは、収納ケーシング２５の底面側に仮置きされた封筒２０に付された無線タグ１３の情報を読み取るためであり、さらに、収納ケーシング２５の上面の奥側に設けるのは、読取用アンテナ３０が出入口２６の外部にある無線タグ１３の情報を読み取ることが無いように図ったものである。また、収納ケーシング２５の上面の奥側に設けるのには、書込用アンテナ３１の書き込み可能範囲ｂが収納ケーシング２５の奥側に形成されるからでもある。
【００５３】
尚、奥側とは、収納ケーシング２５の出入口２６に対する奥側であり、背面に設置される書込用アンテナ３１が収納ケーシング２５内の無線タグ１３に情報を書き込むことができる範囲ｂに相当する範囲をいう。
【００５４】
書込用アンテナ３１は、収納ケーシング２５の背面（ｘ軸大方向にあるｙ−ｚ平面）に設けられる。書込用アンテナ３１を収納ケーシング２５の背面に設けたのは、収納ケーシング２５の上面に書込用アンテナ３１を配置した場合、無線タグ１３が重なる高さ方向から電波（信号）を送信することになり、全ての無線タグ１３が電波を受信することができなくなる不都合を生じるためである。
【００５５】
書込用アンテナ３１を背面に設置することにより、書込用アンテナ３１から送信される電波を縦方向に送信する。すると、送信された電波が、重ね置きされた各封筒２０の隙間に入り込むことができるようになり、全ての無線タグ１３が電波を受信することができる。従って、複数に重ねて仮置きされた封筒２０に付された全ての無線タグ１３に対して一斉に書き込みを行うことができる。つまり、書込用アンテナ３１を背面に設置することで、複数に重ねて仮置きされた封筒２０に付された全ての無線タグ１３に対する一斉書き込みを実現する。
【００５６】
このように構成された無線タグ読み書き装置１０Ａによれば、無線タグ１３からの情報の読み取る無線タグ読取手段および無線タグ１３への情報の書き込みを行う無線タグ書込み手段のみならず、無線タグ１３を付した物（ここでは、封筒２０）を一時的に収納する仮置き手段をも兼ねることができる。
【００５７】
また、無線タグ読み書き装置１０Ａでは、収納ケーシング２５の内部で無線タグ１３の情報を読み取るので、無線タグ１３を付した封筒２０を無線タグ１３が奥側となるように
一時保管（仮置き）する際に、仮置きされた封筒２０に付される無線タグ１３の情報を質問器１４から読み取ることができる。そして、読み取り後は、そのまま封筒２０を収納ケーシング２５に仮置きできる。
【００５８】
さらに、収納ケーシング２５に仮置きされたか否かを物理的センサーで検知する訳ではないので、仮置きされた封筒２０の上に、新たな封筒２０の仮置きを繰り返していっても新たな封筒２０が仮置きされる度に仮置きされた封筒２０に付される無線タグ１３の情報を質問器１４から読み取ることができる。
【００５９】
一方、収納ケーシング２５に仮置きされた状態から無線タグ１３への情報の書き込みを行う場合にも、収納ケーシング２５の内部に形成される読み取り可能範囲ａと書き込み可能範囲ｂとが一致しているので、情報の書き込み時において、書き込みエラーの発生や、中途半端なデータの書き込みの発生を防止することができる。
【００６０】
また、無線タグ１３が付された封筒２０が複数枚重ねて仮置きされた状態から無線タグ１３への情報の書き込みを行う場合にも、書込用アンテナ３１から送信される電波は、複数に重ねて仮置きされた各封筒２０の隙間に入り込むことができるので、全ての封筒２０に付される各無線タグ１３に対して一斉に情報の書き込みを行うことができる。
【００６１】
尚、無線タグ読み書き装置１０Ａは、図２に示される形態に限定されるものではない。収納ケーシング２５をそのまま、任意の方向、角度に回転させて実現される全ての形態を包含する。
【００６２】
例えば、図２によれば、無線タグ読み書き装置１０Ａは、収納ケーシング２５の出入口２６を正面（ｘ軸原点方向のｙ−ｚ平面）に設けているが、必ずしも、正面である必要はなく、出入口２６が上面となるように収納ケーシング２５を９０°回転させて実現される収納ケーシング２５の出入口２６を上面に有する形態も無線タグ読み書き装置１０Ａとして包含する。
【００６３】
また、図２によれば、収納ケーシング２５は、箱型形状で図示されているが、必ずしも箱型形状である必要はなく、使用する用途に応じて任意の形状を選択して良い。例えば、収納ケーシング２５を六角形の開口面を出入口２６とする六角柱で形成しても差し支えない。さらに、収納ケーシング２５は全てが同じ大きさで図示されているが、それぞれが異なる大きさとなることを妨げない。
【００６４】
［第２の実施形態］
図４に本発明に係る無線タグ読み書き装置の第２の実施形態である無線タグ読み書き装置１０Ｂの構成を概略的に表した構成図を示す。尚、図４に示されるｘ軸方向、ｙ軸方向およびｚ軸方向は、図２の場合と同様に、本文中において、縦方向、横方向、高さ方向として説明する。
【００６５】
図４によれば、無線タグ読み書き装置１０Ｂは、無線タグ読み書き装置１０Ａに対し、収納ケーシング２５と隣接する収納ケーシング２５との間に電波遮蔽手段を設けている点および収納ケーシング２５の配置方向が異なるが、その他の点においては、本質的に無線タグ読み書き装置１０Ａと異ならない。
【００６６】
そこで、無線タグ読み書き装置１０Ｂの説明において、本質的に無線タグ読み書き装置１０Ａと異ならない箇所については同じ符号を付して説明を省略する。また、作用、効果、変形例についても本質的に無線タグ読み書き装置１０Ａと異ならない箇所については説明を省略する。
【００６７】
無線タグ読み書き装置１０Ｂは、収納ケーシング２５を複数個具備しており、高さ方向（ｚ軸方向）に連続的に配置される。また、収納ケーシング２５と隣接する収納ケーシング２５との間には電波遮蔽手段としての電波吸収体２９が挿入されており、電波吸収体２９は、２つの収納ケーシング２５に挟まれて配置される。すなわち、収納ケーシング２５と電波吸収体２９とは、交互に連続的に配置される。
【００６８】
収納ケーシング２５と隣接する収納ケーシング２５との間に電波吸収体２９を配置するのは、一の収納ケーシング２５の読取用アンテナ３０から発せられる電波が、他の収納ケーシング２５内で受信されるのを防止するためである。
【００６９】
無線タグ読み書き装置１０Ａの場合、収納ケーシング２５の配置が横方向（水平方向）である一方、読取用アンテナ３０から送信される電波の進行方向が基本的には高さ方向（ｚ軸方向）であるため、一の収納ケーシング２５の読取用アンテナ３０から送信される電波が、他の収納ケーシング２５内で受信されることは、収納ケーシング２５の形状や読取用アンテナ３０の読み取り可能範囲との関係にもよるが、ほとんど皆無と考えられる。
【００７０】
しかしながら、無線タグ読み書き装置１０Ｂのように、収納ケーシング２５の配置と、読取用アンテナ３０から送信される電波の進行方向とが一致していると、一の収納ケーシング２５の読取用アンテナ３０から送信される電波が、他の収納ケーシング２５内、特に電波を発する収納ケーシング２５と隣接する収納ケーシング２５で受信されることが起こり得る。一の収納ケーシング２５の読取用アンテナ３０から送信される電波が、他の収納ケーシング２５内で受信されてしまうと、無線タグ読み書き装置１０Ｂの誤動作につながり、不都合を生じる。
【００７１】
そこで、無線タグ読み書き装置１０Ｂでは、収納ケーシング２５と隣接する収納ケーシング２５との間に電波遮蔽手段としての電波吸収体２９を挿入して、一の収納ケーシング２５から発せられる電波が他の収納ケーシング２５に及ぶのを防止している。
【００７２】
収納ケーシング２５と隣接する収納ケーシング２５との間に電波遮蔽手段としての電波吸収体２９を挿入することにより、一の収納ケーシング２５の読取用アンテナ３０から発せられる電波は、電波吸収体２９に吸収されるので、隣接する収納ケーシング２５に到達することなく、遮蔽することができる。
【００７３】
また、読取用アンテナ３０の読み取り可能距離を考慮すれば、隣接しない他の収納ケーシング２５に電波が到達することはないと考えられるので、隣接する収納ケーシング２５で遮蔽することができれば、他の収納ケーシング２５についても遮蔽することができると考えられる。従って、一の収納ケーシング２５の読取用アンテナ３０から発せられる電波を他の収納ケーシング２５内で受信してしまう不都合は解消される。
【００７４】
このように構成された無線タグ読み書き装置１０Ｂによれば、収納ケーシング２５を高さ方向に複数個配置する場合においても、無線タグ読み書き装置１０Ａと同様の効果を奏することができる。
【００７５】
尚、無線タグ読み書き装置１０Ｂにおいて、２つの収納ケーシング２５間に挿入される電波吸収体２９は、収納ケーシング２５の外部に配置されているが、各収納ケーシング２５の内部において読取用アンテナ３０が設置される面（上面：ｚ軸大方向にあるｘ−ｙ平面）と正対する面（底面：ｚ軸原点方向にあるｘ−ｙ平面）に電波吸収体２９を設けて構成しても構わない。また、無線タグ読み書き装置１０Ｂの収納ケーシング２５は、連続的に配置されるとしたが、間隔を設けて配置されていても構わない。
【００７６】
一方、無線タグ読み書き装置１０Ｂについても、無線タグ読み書き装置１０Ａと同様に、図４に示される形態に限定されるものではない。収納ケーシング２５をそのまま、任意の方向、角度に回転させて実現される全ての形態を包含する。
【００７７】
［変形例］
図５は、無線タグ読み書き装置１０Ａおよび無線タグ読み書き装置１０Ｂにおいて、書込用アンテナ３１を設置する位置を変更して形成した収納ケーシング２５Ａの概略を示す概略図であり、（Ａ）は、斜視図であり、（Ｂ）は、図５（Ａ）に図示されるＩＩ−ＩＩ線に沿う断面図である。
【００７８】
図３および図５によれば、収納ケーシング２５Ａは、収納ケーシング２５に対して、書込用アンテナ３１の設けられる位置以外は、本質的に異ならないものである。より具体的には、収納ケーシング２５の書込用アンテナ３１は、出入口２６のある面（正面：ｘ軸原点方向のｙ−ｚ平面）と正対する面（背面：ｘ軸大方向のｙ−ｚ平面）に取り付けられるのに対し、収納ケーシング２５Ａの書込用アンテナ３１は、出入口２６のある正面に対する側面（ｘ−ｚ平面）のいずれかであり、かつ、出入口２６に対する奥側（ｘ軸大方向）に取り付けられる点で異なる。
【００７９】
図５に示すように、書込用アンテナ３１を正面に対する側面（ｘ−ｚ平面）のいずれかであり、かつ、奥側（ｘ軸大方向）に取り付けた場合においても、送信された電波が各封筒２０の隙間に入り込むことができるように構成されることとなり、全ての無線タグ１３が電波を受信することができることに鑑みれば、収納ケーシング２５Ａ内に仮置きされた全ての封筒２０に付される各無線タグ１３に対して一斉に情報を書き込む上で何ら問題はない。
【００８０】
以上、本発明に係る無線タグ読み書き装置１０によれば、無線タグ１３からの情報の読み取る無線タグ読取手段および無線タグ１３への情報の書き込みを行う無線タグ書込み手段のみならず、無線タグ１３を付した物（ここでは、封筒２０）を一時的に収納する仮置き手段をも兼ねることができる。
【００８１】
また、収納ケーシング２５の内部で無線タグ１３の情報を読み取るので、無線タグ１３を付した封筒２０を無線タグ１３が奥側となるように一時保管（仮置き）する際に、仮置きされた封筒２０に付される無線タグ１３の情報を質問器１４から読み取ることができる。そして、読み取り後は、そのまま封筒２０を収納ケーシング２５に仮置きできる。
【００８２】
さらに、収納ケーシング２５に仮置きされたか否かを物理的センサーで検知する訳ではないので、仮置きされた封筒２０の上に、新たな封筒２０の仮置きを繰り返していっても新たな封筒２０が仮置きされる度に仮置きされた封筒２０に付される無線タグ１３の情報を質問器１４から読み取ることができる。
【００８３】
一方、収納ケーシング２５に仮置きされた状態から無線タグ１３への情報の書き込みを行う場合にも、収納ケーシング２５の内部に形成される読み取り可能範囲ａと書き込み可能範囲ｂとが一致しているので、情報の書き込み時において、書き込みエラーの発生や、中途半端なデータの書き込みの発生を防止することができる。
【００８４】
また、無線タグ１３が付された封筒２０が複数枚重ねて仮置きされた状態から無線タグ１３への情報の書き込みを行う場合にも、書込用アンテナ３１から送信される電波は、複数に重ねて仮置きされた各封筒２０の隙間に入り込むことができるので、全ての封筒２０に付される各無線タグ１３に対して一斉に情報の書き込みを行うことができる。
【００８５】
他方、収納ケーシング２５を高さ方向に複数個配置する場合においても、収納ケーシング２５と隣接する収納ケーシング２５との間に電波遮蔽手段としての電波吸収体２９が挿入されており、一の収納ケーシング２５から発せられる電波を他の収納ケーシング２５では遮蔽することができるので、一の収納ケーシング２５から発せられる電波を他の収納ケーシング２５の内部で受信する不都合は起こりえない。
【００８６】
尚、無線タグ読み書き装置１０Ａの場合において、一の収納ケーシング２５の読取用アンテナ３０から送信される電波が他の収納ケーシング２５内で受信されることがほとんど皆無であることを理由に収納ケーシング２５と隣接する収納ケース２５との間に電波吸収体２９が挿入されていないが、無線タグ読み書き装置１０Ａの収納ケーシング２５と隣接する収納ケース２５との間に電波吸収体２９が挿入されていても差し支えない。
【００８７】
また、本発明に係る無線タグ読み書き装置１０では、収納ケーシング２５，２５Ａにおいて、読取用アンテナ３０および書込用アンテナ３１は、出入口２６に対して奥側に設置されているが、書込用アンテナ３１の書き込み可能範囲ｂが収納ケーシング２５，２５Ａ内にあること、および読取用アンテナ３０の読み込み可能範囲ａが書込用アンテナ３１の書き込み可能範囲ｂと一致するように設置されていれば、必ずしも奥側でなくても良い。
【００８８】
さらに、本発明に係る無線タグ読み書き装置１０には、無線タグ読み書き装置１０Ａおよび無線タグ読み書き装置１０Ｂを適宜組み合わせて形成される無線タグ読み書き装置も包含される。
【００８９】
一方、本発明に係る無線タグ読み書き装置１０は、仕分け対象物として封筒２０を例に説明しているが、仕分け対象物は必ずしも、封筒２０でなくても良い。収納ケーシング２５で出し入れ可能な物（商品等）であれば、同様に使用できる。
【００９０】
また、本発明に係る無線タグ読み書き装置１０では、収納ケーシング２５内に電波遮蔽手段としての電波吸収体２９を設けているが、収納ケーシング２５Ａを用いて無線タグ読み書き装置１０を構成する場合、書込用アンテナ３１が形成する書き込み可能範囲ｂの入口２６側の端部と、読取用アンテナ３０が形成する読み取り可能範囲ａの入口２６側の端部とを一致させるように読取用アンテナ３０および書込用アンテナ３１を配置することができるのであれば、電波吸収体２９は必ずしも必要でない。
【図面の簡単な説明】
【００９１】
【図１】本発明に係る無線タグ読み書き装置を適用した無線タグシステムの一実施例の構成概略を表す概略図。
【図２】本発明の第１の実施形態に係る無線タグ読み書き装置の構成を概略的に表した構成概略図。
【図３】（Ａ）は、本発明の第１の実施形態に係る無線タグ読み書き装置の収納ケーシングに電波吸収体を設けた場合における図２のＩ−Ｉ線に沿う断面図であり、（Ｂ）は本発明の第１の実施形態に係る無線タグ読み書き装置の収納ケーシングに電波吸収体を設けない場合における図２のＩ−Ｉ線に沿う断面図。
【図４】本発明の第２の実施形態に係る無線タグ読み書き装置の構成を概略的に表した構成概略図。
【図５】本発明に係る無線タグ読み書き装置の変形例として、書込用アンテナを設置する位置を変更して形成した収納ケーシングの概略を示す概略図であり、（Ａ）は、収納ケーシングの斜視図、（Ｂ）は、（Ａ）に図示されるＩＩ−ＩＩ線に沿う断面図。
【図６】従来の無線タグシステムにおける無線タグからの情報の読み取りおよび無線タグへの情報の書きを説明する説明図。
【符号の説明】
【００９２】
１０，１０Ａ，１０Ｂ  無線タグ読み書き装置
１１  無線タグシステム
１３  無線タグ
１４  質問器
１５  電子計算機
１７  ケーブル（電気的接続手段）
１８  通信ネットワーク（情報通信手段）
２０  封筒
２１  収納手段
２５，２５Ａ  収納ケーシング
２６  出入口
２９  電波吸収体（電波遮蔽手段）
３０  読取用アンテナ
３１  書込用アンテナ
【図１】
2005266961.tif 000003
【図２】
2005266961.tif 000004
【図３】
2005266961.tif 000005
【図４】
2005266961.tif 000006
【図５】
2005266961.tif 000007
【図６】
2005266961.tif 000008